(57)【要約】【課題】オプション部材や天板を支持する支持脚への負荷を低減することができ、かつ支持脚の昇降動作時における異音の発生を防止することが可能となる。【解決手段】床面Ｆ上に互いに間隔をあけて配置され、天板１０を昇降可能に支持する一対の天板支持脚１１，１１と、床面Ｆ上に互いに間隔をあけて配置され、上下方向Ｄｖに伸縮可能に構成された一対のモニター支持脚２１，２１と、一対のモニター支持脚２１，２１の上端部から上方に向かって延びる一対の支持支柱体２２，２２と、モニター２０を支持し、一対の支持支柱体２２，２２間に架設された連結ビーム２３，２３と、を備えた構成とした。【選択図】図１
2018068445.tif 000002
【特許請求の範囲】
【請求項１】
天板及びオプション部材を各別に高さ変更可能に支持する什器であって、
床面上に互いに間隔をあけて配置され、前記天板を昇降可能に支持する一対の天板支持脚と、
床面上に互いに間隔をあけて配置され、上下方向に伸縮可能に構成された一対のオプション部材支持脚と、
前記一対のオプション部材支持脚の上端部から上方に向かって延びる一対の支持支柱体と、
前記オプション部材を支持し、前記一対の支持支柱体間に架設された連結ビームと、
を備えたことを特徴とする什器。
【請求項２】
前記一対の天板支持脚と、前記一対のオプション部材支持脚とは、平面視で前記一対のオプション部材支持脚が互いに離間する方向である幅方向に直交する前後方向に延びる連結部材によって連結されていることを特徴とする請求項１に記載の什器。
【請求項３】
前記連結ビームは、上下方向に互いに間隔をあけて複数設けられていることを特徴とする請求項１又は２に記載の什器。
【請求項４】
前記連結ビームは、前記連結ビームの長手方向に沿って延びる取付け溝を有し、
前記オプション部材は、取付け手段を介して前記取付け溝に取り付けられていることを特徴とする請求項１乃至３のいずれか１項に記載の什器。
【請求項５】
前記支持支柱体、前記連結ビーム、及び前記オプション部材からなる上部構造体の重心における荷重方向が、前記一対のオプション部材支持脚が並ぶ方向から見た側面視において、前記オプション部材支持脚の伸縮方向の伸縮軸線に重なるように設定されていることを特徴とする請求項１乃至４のいずれか１項に記載の什器。
【請求項６】
前記天板の下面には、前記天板支持脚を昇降させるための天板昇降操作用スイッチと、前記オプション部材支持脚を昇降させるためのオプション部材昇降操作用スイッチと、が配設されていることを特徴とする請求項１乃至５のいずれか１項に記載の什器。
【発明の詳細な説明】
【技術分野】
【０００１】
本発明は、什器に関する。
【背景技術】
【０００２】
オフィスや公共施設等では、使用者の作業性を向上させるために、使用者の各種作業を補助する補助機能部を備える什器が用いられている。補助機能部としては、例えば、使用者に作業平面を提供するとともに使用者の作業に必要な機器や物品を載せる天板や、作業に必要な物品を収納する棚、パーソナルコンピューター等の電子機器に接続され作業に必要な情報を表示するディスプレイ、作業空間を照らす照明等が挙げられる。このような補助機能部は、使用者の作業内容に応じて必要とされるものが異なるため、オプション部材として必要に応じて取り付け可能に構成されている什器が知られている。例えば、特許文献１には、補助機能部である棚やモニター等をオプション部材として取り付けることが可能な什器が開示されている。
【０００３】
ところで、補助機能部を備える什器において、使用者の姿勢や体格、性別、好み等によって、作業のしやすい補助機能部の高さは個々に異なっている。補助機能部の高さが一定である什器ではこのような実情に対応できないため、補助機能部の高さを上下方向に変更可能な什器が広く用いられている。こうした什器を用いることによって、使用者に対して作業性の良い環境を提供することができ、作業効率を向上させるとともに、使用者の体への負担を低減することができる。
【０００４】
従来、補助機能部の高さを上下に変更するための昇降手段として、ガススプリングを用いる方法やギアを用いる方法等が知られている（例えば、特許文献２および３参照）。これらの手動の昇降手段では、構造が比較的簡単であり、コストを低廉に抑えることができる。さらに、昇降手段の操作性を良好にするために、昇降手段に電動式駆動ユニットを用いた什器が多く採用されている（例えば、特許文献４〜６参照）。電動式駆動ユニットを用いた什器では、使用者は容易に補助機能部の高さを好適な位置に調整することができる。
【０００５】
この電動式駆動ユニットは、一般的に、筒状のアウターケーシングと、アウターケーシングの内側に嵌合する筒状のインナーケーシングと、有し、内部に設けられた駆動部によってアウターケーシングとインナーケーシングとが相対的に摺動可能に構成されている。
天板等の補助機能部は、この電動式駆動ユニットによって下側から支持されている。電動式駆動ユニットのアウターケーシングとインナーケーシングとが相対的に摺動することによって、電動式駆動ユニットが伸長又は収縮して、補助機能部の高さが変化する。
【先行技術文献】
【特許文献】
【０００６】
【特許文献１】特開２００５−２１３４０号公報
【特許文献２】特許第３３７１９５９号公報
【特許文献３】特許第３３９１２８５号公報
【特許文献４】実用新案登録第３１６４７３９号公報
【特許文献５】特開２０１４−１１３５０５号公報
【特許文献６】特許第５７１８５０３号公報
【発明の概要】
【発明が解決しようとする課題】
【０００７】
しかしながら、従来の什器では、以下のような問題があった。
すなわち、上述した昇降手段（伸縮支持脚）によって支持された補助機能部を有する什器において、使用者が補助機能部を使用する際に、例えば執務作業面を形成する天板と、その他の補助機能部である棚やモニター等のオプション部材と、を同時に使用する場合がある。このような場合には、伸縮支持脚の伸縮する軸線から外れた位置に荷重が掛かる。そして、この荷重によって伸縮支持脚のアウターケーシングとインナーケーシングとの間の摺動抵抗が増加することで、伸縮支持脚の負荷が増加したり、摺動時に伸縮支持脚内で異音が発生したりする可能性があり、その点で改善の余地があった。
【０００８】
本発明は、上述する問題点に鑑みてなされたもので、オプション部材や天板を支持する支持脚への負荷を低減することができ、かつ支持脚の昇降動作時における異音の発生を防止することが可能な什器を提供することを目的とする。
【課題を解決するための手段】
【０００９】
上記目的を達成するため、本発明に係る什器は、天板及びオプション部材を各別に高さ変更可能に支持する什器であって、床面上に互いに間隔をあけて配置され、前記天板を昇降可能に支持する一対の天板支持脚と、床面上に互いに間隔をあけて配置され、上下方向に伸縮可能に構成された一対のオプション部材支持脚と、前記一対のオプション部材支持脚の上端部から上方に向かって延びる一対の支持支柱体と、前記オプション部材を支持し、前記一対の支持支柱体間に架設された連結ビームと、を備えたことを特徴としている。
【００１０】
本発明では、天板の荷重を一対の天板支持脚で負担し、オプション部材の荷重を一対のオプション部材支持脚で負担する構成となる。つまり、オプション部材と天板の荷重を天板支持脚及びオプション部材支持脚に分散させることができ、一方の支持脚への負荷を低減できる。このため、天板の荷重は、上下方向に伸縮する一対の天板支持脚の各上端部に直上から伝達される。また、オプション部材、連結ビーム、及び一対の支持支柱体の荷重は、上下方向に伸縮するオプション部材支持脚の各上端部に直上から伝達される。これにより、昇降動作時における天板支持脚内及びオプション部材支持脚内の摺動抵抗の増加を抑制することでき、天板支持脚及びオプション部材支持脚への負荷を低減することができる。同時に、摺動抵抗の増加に伴う異音の発生を防止することができる。
【００１１】
また、本発明では、天板支持脚とオプション部材支持脚とがそれぞれ独立して昇降動作をさせることができるため、それぞれの支持脚に支持されるオプション部材及び天板の高さをそれぞれ好適な位置に設定することができ、使い勝手をより向上させることができる。
【００１２】
また、本発明に係る什器は、前記一対の天板支持脚と、前記一対のオプション部材支持脚とは、平面視で前記一対のオプション部材支持脚が互いに離間する方向である幅方向に直交する前後方向に延びる連結部材によって連結されていることが好ましい。
【００１３】
この場合には、一対の天板支持脚と一対のオプション部材支持脚とのそれぞれの幅方向の一方同士、及び他方同士が連結部材によって前後方向に連結されているので、什器としての剛性を高め、使用時の安定感を向上させることができる。
【００１４】
また、本発明に係る什器は、前記連結ビームは、上下方向に互いに間隔をあけて複数設けられていてもよい。
【００１５】
このような什器によれば、複数の連結ビームによって一対の支持支柱体を互いに連結しているので、一対の支持支柱体間の連結強度を増加させることができる。
【００１６】
また、本発明に係る什器は、前記連結ビームは、前記連結ビームの長手方向に沿って延びる取付け溝を有し、前記オプション部材は、取付け手段を介して前記取付け溝に取り付けられていることを特徴としてもよい。
【００１７】
この場合には、オプション部材は取付け手段を介して連結ビームの取付け溝に取り付けられるので、連結ビームに対してオプション部材を容易にかつ確実に取り付けることができる。
【００１８】
また、本発明に係る什器は、前記支持支柱体、前記連結ビーム、及び前記オプション部材からなる上部構造体の重心における荷重方向が、前記一対のオプション部材支持脚が並ぶ方向から見た側面視において、前記オプション部材支持脚の伸縮方向の伸縮軸線に重なるように設定されていることが好ましい。
【００１９】
このような什器によれば、上部構造体の荷重がオプション部材支持脚に対してオプション部材支持脚の伸縮方向と交差する方向に大きく加わることを防止でき、昇降動作時のオプション部材支持脚への摺動抵抗の増加による負荷の増大をより低減することができる。
【００２０】
また、本発明に係る什器は、前記天板の下面には、前記天板支持脚を昇降させるための天板昇降操作用スイッチと、前記オプション部材支持脚を昇降させるためのオプション部材昇降操作用スイッチと、が配設されていることが好ましい。
【００２１】
このような什器によれば、天板及びオプション部材を昇降させることによる上下の位置変更を、使用者が手元の操作用スイッチで操作することができ、操作性を良好にすることができる。
【発明の効果】
【００２２】
本発明の什器によれば、オプション部材や天板を支持する支持脚への負荷を低減することができ、かつ支持脚の昇降動作時における異音の発生を防止することが可能となる。
【図面の簡単な説明】
【００２３】
【図１】本発明の実施の形態による什器の全体構成を示す斜視図である。
【図２】図１に示す什器の正面図である。
【図３】図２に示すＡ−Ａ線矢視図であって、什器を幅方向から見た側面図である。
【図４】図３に示す什器において、支持脚を伸張させた状態を示す側面図である。
【図５】図２に示す什器を上方から見た平面図である。
【発明を実施するための形態】
【００２４】
以下、本発明の実施の形態による什器について、図面に基づいて説明する。
【００２５】
図１〜図３に示す本実施の形態による什器１は、天板１０及びモニター２０，２０（オプション部材）を各別に高さ変更可能に支持することを可能としたものである。
什器１は、床面Ｆ上に互いに間隔をあけて配置され、天板１０を昇降可能に支持し、上下方向Ｄｖに伸縮可能に構成された一対の天板支持脚１１，１１（天板支持脚）と、床面Ｆ上に互いに間隔をあけて配置され、上下方向Ｄｖに伸縮可能に構成された一対のモニター支持脚２１，２１（オプション部材支持脚）と、一対のモニター支持脚２１，２１の上端部から上方に向かって延びる一対の支持支柱体２２，２２と、モニター２０，２０を支持し、一対の支持支柱体２２，２２間に架設された連結ビーム２３と、を備えている。
【００２６】
ここで、本実施の形態では、床面Ｆ上に床面Ｆに対して平行な一方向に配置される一対の天板支持脚１１，１１の離間方向、及び一対のモニター支持脚２１，２１の離間方向は上方から見た平面視で互いに平行であり、この離間方向を幅方向Ｄｈといい、前記平面視で幅方向Ｄｈに直交する方向を前後方向Ｄｆという。前後方向Ｄｆにおいて、モニター支持脚２１に対して天板支持脚１１が位置する側を前方、前側といい、天板支持脚１１に対してモニター支持脚２１が位置する側を後方、後側という。
【００２７】
なお、本実施の形態では、一対の天板支持脚１１，１１同士の離間と、一対のモニター支持脚２１，２１同士の離間とは同じ距離に設定されている。そして、幅方向Ｄｈの一方の天板支持脚１１と、幅方向Ｄｈの一方のモニター支持脚２１とが前後方向Ｄｆに並んで配置されるとともに、幅方向Ｄｈの他方の天板支持脚１１と幅方向Ｄｈの他方のモニター支持脚２１とが前後方向Ｄｆに並んで配置されている。
【００２８】
天板支持脚１１は、下部筒状体１２と、中間筒状体１３と、上部筒状体１４と、を有している。下部筒状体１２、中間筒状体１３、及び上部筒状体１４は、それぞれ上下方向Ｄｖに延びる四角形筒状に形成されている。下部筒状体１２の内部に中間筒状体１３が収納され、中間筒状体１３の内部に上部筒状体１４が収納されている。天板支持脚１１は、モータ等の駆動機構（不図示）を備えており、この駆動機構により下部筒状体１２に対して中間筒状体１３及び上部筒状体１４をそれぞれ上下方向Ｄｖに移動させることで、天板支持脚１１を上下方向Ｄｖに伸縮させることができる。
【００２９】
天板支持脚１１の下端部には、下部支持体３１（連結部材）が設けられている。下部支持体３１は、床面Ｆ上に配置され、床面Ｆに平行で前後方向Ｄｆに延びるとともに、後方側がモニター支持脚２１側まで長く延びている。下部支持体３１の下面には、下部支持体３１の高さ及びレベルの調整を行うアジャスター３２が設けられている。
天板支持脚１１は、下部支持体３１において中央部分から前方側に配置されている。天板支持脚１１の下部筒状体１２は、下部支持体３１の下面側からボルト等により固定されている。
【００３０】
天板支持脚１１の上端部には、天板１０を下方から支持する上部支持体１５が設けられている。上部支持体１５は、上部筒状体１４の上端部に固定され、前後方向Ｄｆに延びている。天板１０は、上部支持体１５の下方からボルト等により固定されている。
天板１０の下面には、天板支持脚１１を昇降させるための天板昇降操作用スイッチ１６Ａと、モニター支持脚２１を昇降させるためのモニター昇降操作用スイッチ１６Ｂ（オプション部材昇降操作用スイッチ）と、が並べられた状態で配設されている。
さらに、天板１０の下面には、これら操作スイッチ１６Ａ、１６Ｂにより入力された信号に基づき、天板支持脚１１及びモニター支持脚２１の昇降動作を制御するコントローラー（不図示）が設けられている。そして、上述した操作用スイッチ１６Ａ、１６Ｂ、コントローラー、昇降機構をなす両支持脚１１、２１が図示しない配線ケーブルによって接続されている。このようにコントローラーを天板１０の下方に配置することによって、モニター支持脚２１や後述する支持支柱体２２を簡単な構成にすることができ、什器としての使い勝手及び体裁を良好なものとすることができる。
【００３１】
また、本実施の形態において、図３及び図４に示すように、天板１０の荷重は、上下方向Ｄｖに伸縮する天板支持脚１１の上端部１１ａに直上から伝達される。これにより、昇降動作時における天板支持脚１１内の摺動抵抗の増加を抑制することでき、天板支持脚１１への負荷を低減することができる。同時に、摺動抵抗の増加に伴う異音の発生を防止することができる。ここで、天板支持脚１１内の摺動抵抗とは、例えば、下部筒状体１２に対して中間筒状体１３が上下方向Ｄｖに移動する際の下部筒状体１２と中間筒状体１３との間の摩擦抵抗や、中間筒状体１３に対して上部筒状体１４が上下方向Ｄｖに移動する際の中間筒状体１３と上部筒状体１４との間の摩擦抵抗である。
【００３２】
図１〜図４に示すように、モニター支持脚２１は、下部筒状体２４と、中間筒状体２５と、上部筒状体２６と、を有している。下部筒状体２４、中間筒状体２５、及び上部筒状体２６は、それぞれ上下方向Ｄｖに延びる四角形筒状に形成されている。下部筒状体２４の内部に中間筒状体２５が収納され、中間筒状体２５の内部に上部筒状体２６が収納されている。モニター支持脚２１は、モータ等の駆動機構（不図示）を備えており、この駆動機構により下部筒状体２４に対して中間筒状体２５及び上部筒状体２６をそれぞれ上下方向Ｄｖに移動させることで、モニター支持脚２１を上下方向Ｄｖに伸縮させることができる。
【００３３】
モニター支持脚２１の下端部は、天板支持脚１１を支持する下部支持体３１の後方側に支持されている。モニター支持脚２１の下部筒状体２４は、下部支持体３１の下面側からボルト等により固定されている。
【００３４】
一対の支持支柱体２２，２２は、一対のモニター支持脚２１，２１の上端部２１ａ，２１ａにそれぞれ取り付けられ、上端部２１ａ，２１ａから上方に向かって延びている。支持支柱体２２は、上下方向Ｄｖから見て略正方形状の断面を有している。支持支柱体２２の前後方向Ｄｆ及び幅方向Ｄｈの各側面には、連結ビーム２３を取り付ける際に使用される溝が上下方向Ｄｖに沿って形成されている。
【００３５】
連結ビーム２３は、一対の支持支柱体２２，２２間に架設されている。本実施の形態では、一対の連結ビーム２３，２３が上下方向Ｄｖに互いに間隔をあけて配置されている。
連結ビーム２３は、幅方向Ｄｈから見て前後方向Ｄｆよりも上下方向Ｄｖに長い略矩形状の断面を有し、幅方向Ｄｈに延びている。連結ビーム２３の幅方向Ｄｈの両端部は、支持支柱体２２の溝内に配置された板ナット（不図示）を用いてボルト（不図示）により支持支柱体２２に固定されている。一対の連結ビーム２３，２３のうち一方は、一対の支持支柱体２２，２２の上端部を互いに連結し、他方は、一対の支持支柱体２２，２２の略中間部を互いに連結している。
【００３６】
連結ビーム２３の前側面２３ａには、上下方向Ｄｖに並ぶ二つの取付け溝２３ｂ，２３ｂが形成されている。取付け溝２３ｂの開口縁には、互いに近接するように突出する突出片（不図示）が形成されている。これによって、取付け溝２３ｂの開口幅は溝内部の幅よりも狭められている。
【００３７】
モニター２０は、取付け具２７を介して取付け溝２３ｂに取り付けられている。モニター２０は、例えば液晶ディスプレイ等、数値や機器動作状態等の情報や映像等の画像を表示する公知の表示装置である。本実施の形態では、モニター２０は、二つの大きさの異なるものが幅方向Ｄｈに間隔をあけて下側の連結ビーム２３に取り付けられている。
【００３８】
図３〜図５に示すように、モニター２０の取付け具２７は、腕部２７１と、腕部２７１の一端に設けられる基板部２７２と、基板部２７２に形成される爪部（不図示）と、を有している。腕部２７１は、連結ビーム２３から前方に向けて張り出すように設けられている。腕部２７１の他端部には、回転自在なモニター支持部２７４を介してモニター２０が取り付けられている。基板部２７２は、上下方向Ｄｖ及び幅方向Ｄｈに広がる略矩形の平板状に形成されている。基板部２７２は、取付け具２７が連結ビーム２３に取り付けられた状態において、後面２７２ａが連結ビーム２３の前側面２３ａに当接するように構成されている。爪部は、基板部２７２の後面２７２ａから後方に突出し、取付け溝２３ｂ内に侵入し係止可能に形成されている。
【００３９】
取付け具２７が固定されたモニター２０を連結ビーム２３に取り付ける際には、モニター２０の背面に設けられる取付け具２７の爪部を連結ビーム２３の前側面２３ａの取付け溝２３ｂに挿入して係止させて、取付け具２７を連結ビーム２３に嵌め込む。この状態では、取付け具２７の基板部２７２の後面２７２ａが連結ビーム２３の前側面２３ａに当接している。そして、この状態において、図示しないボルト等の固定手段により取付け具２７と連結ビーム２３とが固定されることにより、モニター２０が連結ビーム２３に取り付けられる。
【００４０】
また、本実施の形態において、一対の支持支柱体２２，２２は一対のモニター支持脚２１，２１の上端部２１ａ，２１ａにそれぞれ取り付けられ、各上端部２１ａから上方に向かって延びている。このため、モニター２０、一対の支持支柱体２２，２２、及び一対の連結ビーム２３，２３の荷重は、上下方向Ｄｖに伸縮するモニター支持脚２１の上端部２１ａに直上から伝達される。これにより、昇降動作時におけるモニター支持脚２１内の摺動抵抗の増加を抑制することでき、モニター支持脚２１への負荷を低減することができる。同時に、摺動抵抗の増加に伴う異音の発生を防止することができる。ここで、モニター支持脚２１内の摺動抵抗とは、図３及び図４に示すように、例えば、下部筒状体２４に対して中間筒状体２５が上下方向Ｄｖに移動する際の下部筒状体２４と中間筒状体２５との間の摩擦抵抗や、中間筒状体２５に対して上部筒状体２６が上下方向Ｄｖに移動する際の中間筒状体２５と上部筒状体２６との間の摩擦抵抗である。
【００４１】
また、一対のモニター支持脚２１，２１が並ぶ方向、すなわち幅方向Ｄｈから見た側面視において、一対の支持支柱体２２，２２及び一対の連結ビーム２３，２３は、モニター支持脚２１の上端部２１ａの真上に配置されている。よって、側面視において、一対の支持支柱体２２，２２及び一対の連結ビーム２３，２３の合成重心における荷重方向は、モニター支持脚２１の伸縮部分と重なるので、昇降動作時におけるモニター支持脚２１内の摺動抵抗の増加が抑制される。なお、本実施の形態では、モニター支持脚２１の伸縮部分は、中間筒状体２５及び上部筒状体２６である。
【００４２】
さらに、連結ビーム２３にモニター２０といったオプション部材を取り付けた場合でも、前後方向Ｄｆにおける取付け位置を調整することで、側面視において、一対の支持支柱体２２，２２、一対の連結ビーム２３，２３、及びモニター２０から構成される上部構造体の重心における荷重方向が、モニター支持脚２１の伸縮部分と前後方向Ｄｆに近接して位置している。すなわち本実施の形態では、上部構造体の重心における荷重方向Ｐがモニター支持脚２１の伸縮方向の伸縮軸線Ｏに近接または一致するように設定されている。
これによって、側面視において、上部構造体の荷重が、モニター支持脚２１に対してモニター支持脚２１の伸縮方向と交差する方向、すなわち下部筒状体２４に対して中間筒状体２５を近接させたり、中間筒状体２５に対して上部筒状体２６を近接させたりする方向に加わることを防止することができる。これにより、昇降動作時におけるモニター支持脚２１内の摺動抵抗の増加を抑制し、モニター支持脚２１への負荷を低減することができる。
【００４３】
次に、上述した什器１の作用について、図面に基づいて詳細に説明する。
図１に示すように、本実施の形態の構成によれば、天板１０の荷重を一対の天板支持脚１１、１１で負担し、モニター２０の荷重を一対のモニター支持脚２１、２１で負担する構成となる。つまり、モニター２０と天板１０の荷重を天板支持脚１１及びモニター支持脚２１に分散させることができ、一方の支持脚１１、２１への負荷を低減できる。
このため、天板１０の荷重は、上下方向Ｄｖに伸縮する一対の天板支持脚１１の各上端部１１ａに直上から伝達される。また、モニター２０、一対の連結ビーム２３、２３、及び一対の支持支柱体２２、２２の荷重は、上下方向Ｄｖに伸縮するモニター支持脚２１の各上端部２１ａに直上から伝達される。これにより、昇降動作時における天板支持脚１１内及びモニター支持脚２１内の摺動抵抗の増加を抑制することでき、天板支持脚１１及びモニター支持脚２１への負荷を低減することができる。同時に、摺動抵抗の増加に伴う異音の発生を防止することができる。
【００４４】
また、本実施の形態では、天板支持脚１１とモニター支持脚２１とがそれぞれ独立して昇降動作をさせることができるため、それぞれの支持脚１１，２１に支持される天板１０及びモニター２０の高さをそれぞれ好適な位置に設定することができ、使い勝手をより向上させることができる。
【００４５】
また、本実施の形態の什器１では、一対の天板支持脚１１，１１と一対のモニター支持脚２１、２１とのそれぞれの幅方向Ｄｈの一方同士、及び他方同士が下部支持体３１によって前後方向Ｄｆに連結されているので、什器１としての剛性を高め、使用時の安定感を向上させることができる。
【００４６】
また、本実施の形態では、一対の連結ビーム２３、２３によって一対の支持支柱体２２，２２を互いに連結しているので、一対の支持支柱体２２，２２間の連結強度を増加させることができる。
【００４７】
また、本発明に係る什器は、前記連結ビームは、前記連結ビームの長手方向に沿って延びる取付け溝を有し、前記オプション部材は、取付け手段を介して前記取付け溝に取り付けられていることを特徴としてもよい。
【００４８】
この場合には、オプション部材は取付け手段を介して連結ビームの取付け溝に取り付けられるので、連結ビームに対してオプション部材を容易にかつ確実に取り付けることができる。
【００４９】
また、本実施の形態では、支持支柱体２２、連結ビーム２３、及びモニター２０からなる上部構造体の重心における荷重方向Ｐが、一対のモニター支持脚２１，２１が並ぶ方向から見た側面視において、モニター支持脚２１の伸縮方向の伸縮軸線Ｏに対して前後方向Ｄｆに近接して位置しているので、上部構造体の荷重がモニター支持脚２１に対してモニター支持脚２１の伸縮方向と交差する方向に大きく加わることを防止でき、昇降動作時のモニター支持脚２１への摺動抵抗の増加による負荷の増大をより低減することができる。
【００５０】
上述のように本実施の形態による什器では、モニター２０や天板１０を支持する支持脚１１，２１への負荷を低減することができる。
しかも、本実施の形態では、支持脚１１，２１の昇降動作時における異音の発生を防止することが可能となる。
【００５１】
以上、本発明による什器の実施の形態について説明したが、本発明は上記の実施の形態に限定されるものではなく、その趣旨を逸脱しない範囲で適宜変更可能である。
例えば、本実施の形態では、下部支持体３１（連結部材）によって前後方向に位置する天板支持脚１１とモニター支持脚２１とが連結されているが、この連結部材を省略することも可能である。つまり、天板支持脚１１とモニター支持脚２１とが分離されていてもよい。また、天板支持脚１１とモニター支持脚２１とを連結する連結部材は、上述した実施の形態のように下部支持体３１であることに制限されることもない。例えば、伸縮しない天板支持脚１１の下部筒状体１２と、モニター支持脚２１の下部筒状体２４と、を前後方向Ｄｆに延びる連結部材によって連結される構成であってもよい。
【００５２】
また、本実施の形態では、一対の連結ビーム２３，２３が上下方向に互いに間隔をあけて設けられているが、連結ビーム２３の本数として３本以上であってもよいし、１本であってもよい。そして、連結ビーム２３の上下方向の取り付け位置も、本実施の形態に限定されず、任意の位置に配置することができる。
【００５３】
さらに、モニター２０等のオプション部材の連結ビーム２３に対する取付け構造は、本実施の形態のようにモニター２０に取付け具２７を設け、さらにその取付け具２７を連結ビーム２３に形成される取付け溝２３ｂに係止させる構造としているが、他の取付け構造を採用することも可能である。例えば取付け溝２３ｂが省略された連結ビーム２３をクランプ等の治具を用いて把持する取付け構造であってもよい。
【００５４】
さらにまた、本実施の形態ではオプション部材としてモニター２０を採用しているが、棚や照明など他のオプション部材であってもよい。また、連結ビーム２３に取り付けられるオプション部材の数量や位置は任意に設定することができる。
【００５５】
また、天板支持脚１１及びモニター支持脚２１の構成は、上述した実施の形態に限定されることはない。例えば、天板支持脚１１及びモニター支持脚２１ともに、３つの筒状体により２段階で伸縮する構成とされているが、１段階、或いは３段階で伸縮するものであってもよい。さらに、本実施の形態では、天板支持脚１１及びモニター支持脚２１の昇降動作は、電動式のモータ等の駆動機構によって動作する構成としているが、手動式により昇降動作するものであってもかまわない。
【００５６】
また、本実施の形態では、天板１０の下面において、天板昇降操作用スイッチ１６Ａとモニター昇降操作用スイッチ１６Ｂとが並べられた状態で配設されているが、これに限定されることはない。例えば、他の形態として、操作用スイッチ１６Ａ、１６Ｂが、それぞれ天板１０、オプション部材支持部（オプション部材支持脚、支持支柱体、連結ビーム）に設けられていてもよい。
【００５７】
その他、本発明の趣旨を逸脱しない範囲で、上記した実施の形態における構成要素を周知の構成要素に置き換えることは適宜可能である。
【符号の説明】
【００５８】
１  什器
１０  天板
１１  天板支持脚
１６Ａ  天板昇降操作用スイッチ
１６Ｂ  モニター昇降操作用スイッチ（オプション部材昇降操作用スイッチ）
２０  モニター（オプション部材）
２１  モニター支持脚（オプション部材支持脚）
２２  支持支柱体
２３  連結ビーム
２３ａ  前側面
２３ｂ  取付け溝
２７  取付け具
３１  下部支持体（連結部材）
Ｄｖ  上下方向
Ｄｈ  幅方向
Ｄｆ  前後方向
Ｆ  床面
Ｏ  伸縮軸線
Ｐ  上部構造体の重心における荷重方向
【図１】
2018068445.tif 000003
【図２】
2018068445.tif 000004
【図３】
2018068445.tif 000005
【図４】
2018068445.tif 000006
【図５】
2018068445.tif 000007